(57)【要約】【課題】サイネージ端末毎の放映番組スケジュールを自動生成することのできるデジタルサイネージシステム及びサイネージ端末管理サーバを提供する。【解決手段】デジタルサイネージシステムにおいて、サイネージ端末管理サーバ３０は、サイネージ端末１０の端末属性を記憶する端末属性記憶部３１と、サイネージ端末１０に表示するコンテンツのコンテンツ属性を記憶するコンテンツ属性記憶部３２と、コンテンツの放映条件を記憶する放映条件記憶部３３と、端末属性記憶部３１に記憶されたサイネージ端末１０の端末属性とコンテンツ属性記憶部３２に記憶されたコンテンツのコンテンツ属性と放映条件記憶部３３に記憶されたコンテンツの放映条件とに基づいて、サイネージ端末毎の放映番組スケジュールを自動生成する放映番組スケジュール生成部３４とを備え、サイネージ端末毎の放映番組スケジュールを自動生成する。【選択図】図１
2012226017.tif 000002
【特許請求の範囲】
【請求項１】
複数のサイネージ端末とサイネージ端末管理サーバとを通信ネットワークを介して接続したデジタルサイネージシステムであって、
前記サイネージ端末は、
コンテンツを表示する表示部と、
前記表示部を制御する表示制御部と、を備え、
前記サイネージ端末管理サーバは、
前記サイネージ端末の端末属性を記憶する端末属性記憶部と、
前記サイネージ端末に表示するコンテンツのコンテンツ属性を記憶するコンテンツ属性記憶部と、
前記コンテンツの放映条件を記憶する放映条件記憶部と、
前記端末属性記憶部に記憶されたサイネージ端末の端末属性と、前記コンテンツ属性記憶部に記憶されたコンテンツのコンテンツ属性と、前記放映条件記憶部に記憶されたコンテンツの放映条件と、に基づいて、前記サイネージ端末毎の放映番組スケジュールを自動生成する放映番組スケジュール生成部と、を備えたことを特徴とするデジタルサイネージシステム。
【請求項２】
前記コンテンツ属性記憶部に記憶されたコンテンツのコンテンツ属性は、前記サイネージ端末に連続して表示することを禁止する隣接属性を含み、
前記放映番組スケジュール生成部は、同一の隣接属性を有するコンテンツを同一のサイネージ端末で連続して表示しないように、前記サイネージ端末毎の放映番組スケジュールを自動生成することを特徴とする請求項１記載のデジタルサイネージシステム。
【請求項３】
前記端末属性記憶部に記憶されたサイネージ端末の端末属性は、前記コンテンツを同時刻に表示することを禁止する隣接属性を含み、
前記放映番組スケジュール生成部は、同一の隣接属性を有するサイネージ端末間で同一の隣接属性を有するコンテンツを同時刻に表示しないように、前記サイネージ端末毎の放映番組スケジュールを自動生成することを特徴とする請求項２記載のデジタルサイネージシステム。
【請求項４】
前記放映番組スケジュール生成部は、前記サイネージ端末への放映番組スケジュールをランダムに自動生成することを特徴とする請求項１記載のデジタルサイネージシステム。
【請求項５】
前記放映番組スケジュール生成部は、
前記サイネージ端末の管理数に増減があった場合、
前記端末属性記憶部に記憶されたサイネージ端末の端末属性に変更があった場合、
前記コンテンツの管理数に増減があった場合、または、
前記コンテンツ属性記憶部に記憶されたコンテンツのコンテンツ属性に変更があった場合に、
前記サイネージ端末への放映番組スケジュールを自動生成することを特徴とする請求項１記載のデジタルサイネージシステム。
【請求項６】
コンテンツを表示する表示部と、前記表示部を制御する表示制御部と、を有する複数のサイネージ端末を管理するサイネージ端末管理サーバであって、
前記サイネージ端末の端末属性を記憶する端末属性記憶部と、
前記サイネージ端末に表示するコンテンツのコンテンツ属性を記憶するコンテンツ属性記憶部と、
前記コンテンツの放映条件を記憶する放映条件記憶部と、
前記端末属性記憶部に記憶されたサイネージ端末の端末属性と、前記コンテンツ属性記憶部に記憶されたコンテンツのコンテンツ属性と、前記放映条件記憶部に記憶されたコンテンツの放映条件と、に基づいて、前記サイネージ端末毎の放映番組スケジュールを自動生成する放映番組スケジュール自動生成部と、
を備えたことを特徴とするサイネージ端末管理サーバ。
【発明の詳細な説明】
【技術分野】
【０００１】
本発明は、複数のサイネージ端末に各種のコンテンツを表示するデジタルサイネージシステム及びサイネージ端末管理サーバに関し、より詳細には個々のサイネージ端末で表示するコンテンツの放映番組スケジュールの自動生成に関するものである。
【背景技術】
【０００２】
従来のデジタルサイネージシステムは、電子看板装置に繰り返し表示される複数のコンテンツを含むコンテンツセットの設定を行なうコンテンツセット設定部と、設定されたコンテンツセットに含まれる複数のコンテンツが繰り返し表示されるように表示期間の設定を行なう表示期間設定部とを有するサーバと、設定された表示期間の間、コンテンツセットに含まれる複数のコンテンツを繰り返し表示させる看板表示制御部を有する複数の電子看板装置とがネットワーク接続された構成で、ユーザは、サーバ出力装置に表示されたコンテンツセット設定画面の画面上でコンテンツ設定のための入力作業を手作業で繰り返し行なうことにより、コンテンツセットを設定するものが知られている（例えば、特許文献１参照）。
【先行技術文献】
【特許文献】
【０００３】
【特許文献１】特開２００７−３１０００３号公報
【発明の概要】
【発明が解決しようとする課題】
【０００４】
しかしながら、従来のデジタルサイネージシステムにおいては、コンテンツセット設定画面の画面上でコンテンツ設定のための入力作業を手作業で繰り返し行なってコンテンツセットを生成するため、入力作業に多くの工数を必要とし放映番組スケジュール生成に多くの時間を要した。
【０００５】
また、デジタルサイネージシステムを広告収入型モデルとして運用する場合、サイネージ端末の設置管理台数が増えるほど広告効果が大きいため、多数のサイネージ端末を全国規模で設置するのが一般的である。しかし、ライバル会社の広告コンテンツを同一サイネージ端末で連続して表示しないようにするとか、設置場所が同一のサイネージ端末でライバル会社の広告コンテンツを同時刻に表示しないようにするなどサイネージ端末毎に異なる放映番組スケジュールを生成するという細かなサービスの提供を行なうには不都合であるという課題を有していた。
【０００６】
本発明は、このような従来の課題を解決するためになされたもので、サイネージ端末毎の端末属性とコンテンツ毎のコンテンツ属性とコンテンツ毎の放映条件とに基づいて、サイネージ端末毎の放映番組スケジュールを自動生成できるようにしたデジタルサイネージシステム及びサイネージ端末管理サーバを提供することを目的としたものである。
【０００７】
さらに、同一の隣接属性を有するコンテンツを同一のサイネージ端末で連続して表示しない、または、同一の隣接属性を有するサイネージ端末間で同一の隣接属性を有するコンテンツを同時刻に表示しないように、サイネージ端末毎の放映番組スケジュールを自動生成できるようにしたデジタルサイネージシステム及びサイネージ端末管理サーバを提供することを目的としたものである。
【課題を解決するための手段】
【０００８】
本発明のデジタルサイネージシステムは、複数のサイネージ端末とサイネージ端末管理サーバとを通信ネットワークを介して接続したデジタルサイネージシステムであって、
サイネージ端末は、
コンテンツを表示する表示部と、
表示部を制御する表示制御部と、を備え、
サイネージ端末管理サーバは、
サイネージ端末の端末属性を記憶する端末属性記憶部と、
サイネージ端末に表示するコンテンツのコンテンツ属性を記憶するコンテンツ属性記憶部と、
コンテンツの放映条件を記憶する放映条件記憶部と、
端末属性記憶部に記憶されたサイネージ端末の端末属性と、コンテンツ属性記憶部に記憶されたコンテンツのコンテンツ属性と、放映条件記憶部に記憶されたコンテンツの放映条件と、に基づいて、サイネージ端末毎の放映番組スケジュールを自動生成する放映番組スケジュール生成部と、を備えた構成を有している。
【０００９】
この構成により、サイネージ端末の端末属性とコンテンツのコンテンツ属性とコンテンツの放映条件とを記憶でき、記憶したサイネージ端末の端末属性とコンテンツのコンテンツ属性とコンテンツの放映条件とに基づいて、サイネージ端末毎の放映番組スケジュールを自動生成し、サイネージ端末に放映番組スケジュールを配信し表示することができる。
【００１０】
また、本発明のデジタルサイネージシステムでは、
コンテンツ属性記憶部に記憶されたコンテンツのコンテンツ属性は、サイネージ端末に連続して表示することを禁止する隣接属性を含み、
放映番組スケジュール生成部は、同一の隣接属性を有するコンテンツを同一のサイネージ端末で連続して表示しないように、サイネージ端末毎の放映番組スケジュールを自動生成する構成を有している。
【００１１】
この構成により、同一の隣接属性を有するコンテンツを同一のサイネージ端末で連続して表示しないように、サイネージ端末毎の放映番組スケジュールを自動生成することができる。
【００１２】
また、本発明のデジタルサイネージシステムでは、
端末属性記憶部に記憶されたサイネージ端末の端末属性は、コンテンツを同時刻に表示することを禁止する隣接属性を含み、
放映番組スケジュール生成部は、同一の隣接属性を有するサイネージ端末間で同一の隣接属性を有するコンテンツを同時刻に表示しないように、サイネージ端末毎の放映番組スケジュールを自動生成する構成を有している。
【００１３】
この構成により、同一の隣接属性を有するサイネージ端末間で同一の隣接属性を有するコンテンツを同時刻に表示しないように、サイネージ端末毎の放映番組スケジュールを自動生成することができる。
【００１４】
また、本発明のデジタルサイネージシステムでは、放映番組スケジュール生成部は、サイネージ端末への放映番組スケジュールをランダムに自動生成する構成を有している。
【００１５】
この構成により、サイネージ端末毎の放映番組スケジュールをランダムに自動生成することができる。
【００１６】
また、本発明のデジタルサイネージシステムでは、
放映番組スケジュール生成部は、
サイネージ端末の管理数に増減があった場合、
端末属性記憶部に記憶されたサイネージ端末の端末属性に変更があった場合、
コンテンツの管理数に増減があった場合、または、
コンテンツ属性記憶部に記憶されたコンテンツのコンテンツ属性に変更があった場合に、
サイネージ端末毎の放映番組スケジュールを自動生成する構成を有している。
【００１７】
この構成により、サイネージ端末の管理数に増減があった場合、端末属性記憶部に記憶されたサイネージ端末の端末属性に変更があった場合、コンテンツの管理数に増減があった場合、または、コンテンツ属性記憶部に記憶されたコンテンツのコンテンツ属性に変更があった場合に、サイネージ端末毎の放映番組スケジュールを自動生成することができる。
【００１８】
さらに、本発明のサイネージ端末管理サーバは、コンテンツを表示する表示部と、表示部を制御する表示制御部と、を有する複数のサイネージ端末を管理するサイネージ端末管理サーバであって、
サイネージ端末の端末属性を記憶する端末属性記憶部と、
サイネージ端末に表示するコンテンツのコンテンツ属性を記憶するコンテンツ属性記憶部と、
コンテンツの放映条件を記憶する放映条件記憶部と、
端末属性記憶部に記憶されたサイネージ端末の端末属性と、コンテンツ属性記憶部に記憶されたコンテンツのコンテンツ属性と、放映条件記憶部に記憶されたコンテンツの放映条件と、に基づいて、サイネージ端末毎の放映番組スケジュールを自動生成する放映番組スケジュール自動生成部と、を備えた構成を有している。
【００１９】
この構成により、サイネージ端末の端末属性とコンテンツのコンテンツ属性とコンテンツの放映条件とを記憶でき、記憶したサイネージ端末の端末属性とコンテンツのコンテンツ属性とコンテンツの放映条件とに基づいて、サイネージ端末毎の放映番組スケジュールを自動生成することができる。
【発明の効果】
【００２０】
本発明のデジタルサイネージシステム及びサイネージ端末管理サーバは、サイネージ端末の端末属性とコンテンツのコンテンツ属性とコンテンツの放映条件とに基づいて、サイネージ端末毎の放映番組スケジュールを自動生成するため、放映番組スケジュール作成にかかる工数を大幅に削減することができる。
【００２１】
さらに、同一の隣接属性を有するコンテンツを同一のサイネージ端末で連続して表示しない、または、同一の隣接属性を有するサイネージ端末間で同一の隣接属性を有するコンテンツを同時刻に表示しないようにしたため、ライバル会社の広告コンテンツを特定のサイネージ端末に連続して表示しない、または、同時刻に表示しないような放映番組スケジュールを自動生成できるという効果を有するデジタルサイネージシステム及びサイネージ端末管理サーバを提供することができる。
【図面の簡単な説明】
【００２２】
【図１】本発明の実施の形態１におけるデジタルサイネージシステムの構成を示すブロック図
【図２】本発明の実施の形態１における放映番組スケジュール生成のフローチャート
【図３】本発明の実施の形態１におけるサイネージ端末の端末属性の例を示す図
【図４】本発明の実施の形態１におけるコンテンツのコンテンツ属性の例を示す図
【図５】本発明の実施の形態１における放映番組スケジュールの生成処理の例を示す図
【図６】本発明の実施の形態１における放映番組スケジュールの例を示す図
【図７】本発明の実施の形態２におけるコンテンツのコンテンツ属性に含まれる隣接属性の例を示す図
【図８】本発明の実施の形態２における放映番組スケジュールの例を示す図
【図９】本発明の実施の形態３におけるサイネージ端末の端末属性に含まれる隣接属性の例を示す図
【図１０】本発明の実施の形態３における放映番組スケジュールの例を示す図
【発明を実施するための形態】
【００２３】
以下、本発明の実施の形態のデジタルサイネージシステムについて、図面を参照しながら説明する。
【００２４】
（実施の形態１）
図１は、本発明の実施の形態１におけるデジタルサイネージシステムの構成を示すブロック図である。
【００２５】
図１において、本実施の形態におけるデジタルサイネージシステムは、複数のサイネージ端末１０とサイネージ端末管理サーバ３０とを通信ネットワーク２０を介して接続したデジタルサイネージシステムであって、サイネージ端末１０は、街頭、駅、店頭、店舗などに設置される電光掲示板、液晶ディスプレイ、プラズマディスプレイなどで文字情報のスクロール表示、静止画、動画などを表示する表示端末である。
【００２６】
サイネージ端末管理サーバ３０から通信ネットワーク２０を介して配信された広告主から依頼された広告、各種イベントの案内、地震情報や火災情報などを含む緊急通報などのコンテンツを表示する表示部１１と、表示ための各種制御を行なう表示制御部１２とを備えている。
【００２７】
通信ネットワーク２０は、複数のサイネージ端末１０とサイネージ端末管理サーバ３０とを接続する公衆通信回線または専用通信回線である。
【００２８】
サイネージ端末管理サーバ３０は、個々のサイネージ端末１０の設置場所や設置地域などの端末属性を記憶する端末属性記憶部３１と、個々のサイネージ端末１０に表示するコンテンツのコンテンツ属性を記憶するコンテンツ属性記憶部３２と、個々のサイネージ端末１０に表示するコンテンツの放映日時指定や放映地域指定などの放映条件を記憶する放映条件記憶部３３と、端末属性記憶部３１に記憶された個々のサイネージ端末１０の端末属性とコンテンツ属性記憶部３２に記憶されたコンテンツのコンテンツ属性と放映条件記憶部３３に記憶された個々のコンテンツの放映条件とに基づいて、個々のサイネージ端末１０で表示する放映番組スケジュールを自動生成する放映番組スケジュール生成部３４とを備え、通信ネットワーク２０を介して接続されている全てのサイネージ端末１０を集中管理している。
【００２９】
なお、サイネージ端末管理サーバ３０には、図示していない入力部と表示部を有すコンピュータが接続されており、各種データの入力、記憶している属性の表示、生成した放映番組スケジュールの表示、サイネージ端末毎の稼働率表示などを行なうことができる。
【００３０】
以上のように構成されたデジタルサイネージシステムについて、図２のフローチャートを用いて放映番組スケジュールの自動生成について説明する。
【００３１】
まず、サイネージ端末管理サーバ３０の端末属性記憶部３１に記憶されている全てのサイネージ端末１０と端末属性を抽出する（Ｓ２１）。
【００３２】
図３は、抽出されたサイネージ端末１０の端末属性の例を示した図である。
図３において、端末属性の属性項目は、売り場、地域、店舗種別で、それぞれの属性項目に対する属性値は表に示す通りである。
【００３３】
例えば、「サイネージ端末１」は、中部地域に立地する直営店の食品売り場に設置されている。また、「サイネージ端末２」は、関西地域に立地するＦＣ店の家電売り場に設置されていることを表している。
【００３４】
説明を簡素化するため端末属性の属性項目を売り場、地域、店舗種別に限定して表示したが、実際の運用では広域にわたり設置されたサイネージ端末毎の詳細な設置環境、分類などが容易に判別できるように多数の属性項目を採用する。
【００３５】
次に、サイネージ端末管理サーバ３０のコンテンツ属性記憶部３２に記憶されている全てのコンテンツの中から放映番組スケジュールの対象となるコンテンツとコンテンツのコンテンツ属性を抽出する（Ｓ２２）。
【００３６】
図４は、抽出されたコンテンツのコンテンツ属性の例を示した図である。
図４において、コンテンツ属性の属性項目は、売り場、地域、店舗種別で、それぞれの属性項目に対する属性値は表に示す通りである。
【００３７】
例えば、コンテンツＡは、全ての売り場に設置されたサイネージ端末１０、全ての地域に設置されたサイネージ端末１０及び直営店に設置されたサイネージ端末１０が表示対象となる。また、コンテンツＣは、全ての売り場に設置されたサイネージ端末１０、全ての地域に設置されたサイネージ端末１０及び全ての店舗に設置されたサイネージ端末１０が表示対象となる。
【００３８】
次に、対象となるコンテンツの放映条件をサイネージ端末管理サーバ３０の放映条件記憶部３３より取得する（Ｓ２３）。
【００３９】
コンテンツの放映条件は、コンテンツを放映する放映日時指定、放映地域指定、放映回数指定、放映枠指定などの放映条件で、全てのコンテンツに指定条件の有無と指定条件有りの場合は、その内容が登録されている。
【００４０】
次に、抽出したサイネージ端末１０の端末属性と抽出したコンテンツのコンテンツ属性と取得したコンテンツの放映条件とに基づいて、個々のサイネージ端末１０で放映する放映番組スケジュールを自動生成する（Ｓ２４）。
【００４１】
以下に、放映番組スケジュールの自動生成の生成処理について図５を用いて説明する。
なお、ここでは説明を簡素化するため、抽出したコンテンツには放映条件の指定が無いものとする。
【００４２】
図５は、図３に示したサイネージ端末１０の端末属性と図４に示したコンテンツのコンテンツ属性より放映番組スケジュールの生成処理の例を示す図で、図中の○または×は、「サイネージ端末３」における端末属性とコンテンツ属性のマッチングの可否を表している。
【００４３】
まず、「サイネージ端末３」の端末属性は、図３より、属性項目の売り場に対する属性値は紳士服、属性項目の地域に対する属性値は東北、属性項目の店舗種別に対する属性値は直営店であり、そのことが図５に表示される。
【００４４】
次に、コンテンツＡのコンテンツ属性は、図４より、全ての売り場に設置されたサイネージ端末１０、全ての地域に設置されたサイネージ端末１０及び直営店に設置されたサイネージ端末１０が表示対象であり、この条件と前述の端末属性とのマッチング処理を行なう。
【００４５】
まず、属性項目の売り場と地域は、全てが対象のため紳士服売り場と東北地域はマッチングすることになり○が付与される。さらに、属性項目店舗種別の属性値は直営店であるが端末属性の属性値も直営店であり、両者はマッチングすることになり○が付与される。
【００４６】
この結果、コンテンツＡは、全ての項目において○が付与されためマッチング総合評価は○となる。すなわち、「サイネージ端末３」は、コンテンツＡを表示するサイネージ端末１０となる。
【００４７】
同様に、図４よりコンテンツＢのコンテンツ属性は、食品売り場に設置されたサイネージ端末１０、全ての地域に設置されたサイネージ端末１０及び全ての店舗種別に設置されたサイネージ端末１０が表示対象であり、この条件と前述の端末属性とのマッチング処理を行なう。
【００４８】
まず、属性項目の売り場は食品であり、紳士服売り場とマッチングせず×が付与される。また、属性項目の地域と店舗種別は全てが対象のため紳士服売り場と東北地域はマッチングすることになり○が付与される。
【００４９】
この結果、コンテンツＢは、全ての項目において○が付与されなかったためマッチング総合評価は×となる。すなわち、「サイネージ端末３」は、コンテンツＢを表示しないサイネージ端末１０となる。
【００５０】
同様に、コンテンツＣのマッチング処理を行なうとマッチング総合評価に○となり、「サイネージ端末３」は、コンテンツＣを表示するサイネージ端末１０となる。
【００５１】
以上のことより、「サイネージ端末３」は、コンテンツＡとコンテンツＣを表示するサイネージ端末１０となり、コンテンツＡとコンテンツＣを含む放映番組スケジュールが生成できたことになる。
【００５２】
同様にして、図３に表示されている全てのサイネージ端末１０の端末属性と図４に表示されている全てのコンテンツのコンテンツ属性より放映番組スケジュールの生成処理をした結果が図６である。
【００５３】
図６において、例えば、「サイネージ端末１」の放映番組スケジュールは、コンテンツＡとコンテンツＢとコンテンツＣを順番に繰り返し表示するスケジュールとなる。また、「サイネージ端末３」と「サイネージ端末４」の放映番組スケジュールは、コンテンツＡとコンテンツＣを繰り返し表示するスケジュールとなる。
【００５４】
以上のように、本実施の形態のデジタルサイネージシステムは、サイネージ端末の端末属性とコンテンツのコンテンツ属性とコンテンツの放映条件とに基づいて、サイネージ端末の管理台数の多少にかかわらずサイネージ端末毎の放映番組スケジュールを自動生成するため、放映番組スケジュール作成にかかる工数を大幅に削減できるとともに、手作業による入力作業を伴わないため設定ミスの削減を図ることができる。
【００５５】
なお、以上の本実施の形態では、サイネージ端末管理サーバに記憶されている全てのサイネージ端末と端末属性を抽出するように説明したが、本発明はこれに限ることなく、放映番組スケジュールの対象となるコンテンツの属性値に地域性がある場合などは、サイネージ端末管理サーバに記憶されている全てのサイネージ端末を抽出するのでなく、サイネージ端末の属性値より地域性に関係するサイネージ端末のみを抽出するようにしてもよい。
【００５６】
また、以上の本実施の形態では、コンテンツの放映条件はないものとしてサイネージ端末毎の放映番組スケジュールを自動生成するように説明したが、コンテンツの放映条件がある場合には、個々のサイネージ端末の端末属性とコンテンツのコンテンツ属性とに基づいて自動生成された放映番組スケジュールに、コンテンツの放映日時指定、放映地域指定、放映回数指定、放映枠指定などの登録された放映条件を加味して再生成すればよい。
【００５７】
また、以上の本実施の形態では、サイネージ端末の管理数とコンテンツの管理数は一定であるとして説明したが、サイネージ端末の管理数に増減があった場合、端末属性記憶部に記憶されたサイネージ端末の端末属性に変更があった場合、コンテンツの管理数に増減があった場合、または、コンテンツ属性記憶部に記憶されたコンテンツのコンテンツ属性に変更があった場合には、変更後の条件でサイネージ端末毎の放映番組スケジュールを再生成すればよく、各種の変更に迅速且つ容易に対応できる。
【００５８】
（実施の形態２）
本実施の形態２におけるデジタルサイネージシステムの構成を示すブロック図は、実施の形態１のデジタルサイネージシステムの構成を示すブロック図と同じであるので省略する。
【００５９】
本実施の形態は、コンテンツ属性記憶部３２に記憶されているコンテンツのコンテンツ属性に、同一の隣接属性を有するコンテンツを同一のサイネージ端末１０に連続して表示することを禁止する隣接属性を付与している点が相違するものである。
【００６０】
図７は、コンテンツのコンテンツ属性に含まれる隣接属性の例を示す図である。
【００６１】
図７を用いて、放映番組スケジュール生成部３４で生成される放映番組スケジュールの生成処理を説明する。
【００６２】
図７において、コンテンツ属性の属性項目は、業種、会社名、商品で、それぞれの属性項目に対する属性値は表に示す通りである。さらに、業種と商品の属性項目には同一の隣接属性を有するコンテンツを同一のサイネージ端末１０に連続して表示することを禁止する隣接属性が付与されている。なお、図中の■は、隣接属性が付与されていることを表し、また、図中の□は、隣接属性が付与されていないことを表している。
【００６３】
例えば、コンテンツＡは、家電業種Ｐ電器のテレビに関する広告コンテンツで属性値の家電に隣接属性が付与され、属性値のテレビには隣接属性が付与されていない。すなわち、コンテンツＡは、属性値が家電に属する他の広告コンテンツを同一のサイネージ端末１０に連続して表示することを禁止し、属性値がテレビに属する他の広告コンテンツを同一のサイネージ端末１０に連続して表示することを禁止していない。
【００６４】
また、コンテンツＢは、家電業種Ｈ家電のテレビに関する広告コンテンツで属性値の家電とテレビのいずれにも隣接属性が付与されていない。すなわち、コンテンツＢは、属性値が家電とテレビに属する他の広告コンテンツを同一のサイネージ端末１０で連続して表示することを禁止していない。
【００６５】
また、コンテンツＣは、家電業種Ｓ電機のビデオに関する広告コンテンツで属性値の家電とビデオのいずれにも隣接属性が付与されている。すなわち、コンテンツＣは、属性値が家電とビデオに属する他の広告コンテンツを同一のサイネージ端末１０で連続して表示することを禁止している。コンテンツＤおよびコンテンツＥに関する説明は上述と同様のため省略する。
【００６６】
次に、具体的な放映番組スケジュールの生成処理について説明する。
まず、図中の最上位に位置するコンテンツＡを最初に抽出する。
【００６７】
次に、抽出されたコンテンツＡは、属性値の家電にのみ隣接属性が付与されているため、家電以外の業種に該当する業種を図中より検索し、該当する業種が複数存在する場合は図中の上位データを選択する。以上の検索条件より、ここでは業種が食品のコンテンツＤが抽出される。
【００６８】
次に、抽出されたコンテンツＤは、属性値の食品とビールの両方に隣接属性が付与されている。隣接属性が複数付与されている場合は、図中の左側データを選択する。以上の検索条件より、ここでは業種が家電のコンテンツＢが抽出される。なお、業種が家電のコンテンツＡは既に抽出されているので対象外となる。
【００６９】
次に、抽出されたコンテンツＢは、属性値のいずれにも隣接属性が付与されていないため検索に制約が無いことになり、図中に残っている上位に位置するコンテンツＣが抽出される。
【００７０】
次に、抽出されたコンテンツＣは、属性値の家電とビデオの両方に隣接属性が付与されているが前述した通り図中の左側に位置する家電以外の業種に該当する業種を図中より検索する。検索条件は前述の通りであるが、ここでは図中にコンテンツＥしか残っていないためコンテンツＥを抽出する。
【００７１】
以上のようにして抽出したコンテンツの順番がそのまま放映番組スケジュールの表示順番となる。
【００７２】
図８は、生成された放映番組スケジュールの例を示す。
【００７３】
コンテンツＡを最初に表示し、コンテンツＡの表示が終了すると続いてコンテンツＤを表示し、以降コンテンツＢ、コンテンツＣ、コンテンツＥの順番で表示する。コンテンツＥの表示が終了するとコンテンツＡに戻る。このようにコンテンツＡからコンテンツＥを繰り返し表示する放映番組スケジュールを表している。
【００７４】
以上のように、本実施の形態のデジタルサイネージシステムは、同一の隣接属性を有するコンテンツを同一のサイネージ端末に連続して表示することを禁止する隣接属性に基づいてコンテンツの表示順番を決定するため、同一のサイネージ端末にライバル会社の広告コンテンツを連続して表示しないように自動的に調整した放映番組スケジュールを生成できる。
【００７５】
なお、以上の本実施の形態では、コンテンツの最優先順位や検索結果が複数存在するときの選択は、図中の最上位データまたは図中の左側データを選択するように説明したが、本発明はこれに限ることなく、事前に選択の優先順位を設定しておくような方法であってもよい。こうすることによって特定のコンテンツを常時最初に表示することができる。
【００７６】
また、選択対象となる項目に乱数を付与し、ランダムにデータを選択するようにしてもよい。こうすることによって表示順位をランダム化することができる。
【００７７】
（実施の形態３）
本実施の形態３におけるデジタルサイネージシステムの構成を示すブロック図は、実施の形態１のデジタルサイネージシステムの構成を示すブロック図と同じであるので省略する。
【００７８】
本実施の形態は、端末属性記憶部３１に記憶されているサイネージ端末１０の端末属性に、同一の隣接属性を有するサイネージ端末間で同一の隣接属性を有するコンテンツを同時刻に表示することを禁止する隣接属性を付与している点が相違するものである。
【００７９】
図９は、サイネージ端末１０の端末属性に含まれる隣接属性の例を示す図である。
【００８０】
図９を用いて、放映番組スケジュール生成部３４で生成される放映番組スケジュールの生成処理を説明する。
【００８１】
図９において、サイネージ端末毎の隣接属性の属性項目は、設置場所と駅名で、それぞれの属性項目に対する属性値は表に示す通りである。
【００８２】
例えば、「サイネージ端末Ａ」と「サイネージ端末Ｂ」とは、ＪＲ東京駅のコンコースに設置されている。すなわち、「サイネージ端末Ａ」と「サイネージ端末Ｂ」間では設置場所が距離的に近接しており同一のコンテンツを同時刻に表示することを禁止している。
【００８３】
また、「サイネージ端末Ｃ」は、京急品川駅に設置されている。すなわち、「サイネージ端末Ｃ」と「サイネージ端末Ａ」間または「サイネージ端末Ｃ」と「サイネージ端末Ｂ」間では設置場所が距離的に離れているため同一のコンテンツを同時刻に表示することを禁止していないことになる。
【００８４】
図８に示した放映番組スケジュールを図９の隣接属性に基づいて、自動生成した放映番組スケジュールの例を図１０に示す。
【００８５】
「サイネージ端末Ａ」と「サイネージ端末Ｂ」は設置場所が距離的に近接しており同一のコンテンツを同時刻に表示することを禁止されているため、同時刻に同一のコンテンツが表示されないように放映番組スケジュールを調整したものである。すなわち、「サイネージ端末Ａ」で表示される放映番組スケジュールは、コンテンツＡを最初に表示し、コンテンツＡの表示が終了すると続いてコンテンツＤを表示し、以降コンテンツＢ、コンテンツＣ、コンテンツＥの順番で表示する。コンテンツＥの表示が終了するとコンテンツＡに戻る。
【００８６】
これに対し「サイネージ端末Ｂ」で表示される放映番組スケジュールは、コンテンツＤを最初に表示、コンテンツＤの表示が終了すると続いてコンテンツＢを表示し、以降コンテンツＣ、コンテンツＥ、コンテンツＡの順番で表示する。コンテンツＡの表示が終了するとコンテンツＤに戻る。
【００８７】
また、「サイネージ端末Ｃ」と「サイネージ端末Ａ」間、または、「サイネージ端末Ｃ」と「サイネージ端末Ｂ」間では設置場所が距離的に離れているため同一のコンテンツを同時刻に表示することを禁止していないため、「サイネージ端末Ｃ」と「サイネージ端末Ａ」間は同一の放映番組スケジュールを採用したものである。
【００８８】
以上のように、本実施の形態のデジタルサイネージシステムは、同一の隣接属性を有するサイネージ端末間で同一の隣接属性を有するコンテンツを同時刻に表示することを禁止する隣接属性に基づいてコンテンツの表示順番を決定するため、設置場所が距離的に近接したサイネージ端末間で同時刻に同一のコンテンツが表示されないように自動的に調整した放映番組スケジュールを生成できる。
【００８９】
以上のように、本実施の形態のデジタルサイネージシステムは、同一の隣接属性を有するコンテンツを同一のサイネージ端末に連続して表示することを禁止する隣接属性に基づいてコンテンツの表示順番を決定するため、同一のサイネージ端末にライバル会社の広告コンテンツを連続して表示しないように自動的に調整した放映番組スケジュールを生成できる。
【００９０】
以上のように、本実施の形態のデジタルサイネージシステムは、同一の隣接属性を有するコンテンツを同一のサイネージ端末に連続して表示することを禁止する隣接属性に基づいてコンテンツの放映順番を決定するため、設置場所が距離的に近接したサイネージ端末間で同時刻に同一のコンテンツが表示されないように自動的に調整した放映番組スケジュールを生成できる。
【産業上の利用可能性】
【００９１】
以上のように、本発明にかかるデジタルサイネージシステム及びサイネージ端末管理サーバは、サイネージ端末毎の放映番組スケジュールを自動生成するという効果を有し、デジタルサイネージシステムに有用である。
【符号の説明】
【００９２】
１０    サイネージ端末
１１    表示部
１２    表示制御部
２０    通信ネットワーク
３０    サイネージ端末管理サーバ
３１    端末属性記憶部
３２    コンテンツ属性記憶部
３３    放映条件記憶部
３４    放映番組スケジュール生成部
【図１】
2012226017.tif 000003
【図２】
2012226017.tif 000004
【図３】
2012226017.tif 000005
【図４】
2012226017.tif 000006
【図５】
2012226017.tif 000007
【図６】
2012226017.tif 000008
【図７】
2012226017.tif 000009
【図８】
2012226017.tif 000010
【図９】
2012226017.tif 000011
【図１０】
2012226017.tif 000012